(57)【要約】【課題】リンクチャネルの割当信号を受信する成功率を向上できる携帯端末、無線通信システム及び無線通信方法を提供すること。【解決手段】アダプティブアレイ送信が可能な基地局２００と無線通信するＰＨＳ端末１は、第１の時間周期で基地局２００から送信されるＣＣＨの信号を受信する通信部４０と、ＣＣＨで基地局２００から第２の時間間隔で送信されるＢＣＣＨを受信してからの経過時間を計測する計時部６０と、基地局２００とＬＣＨを確立する場合、ＣＣＨの信号を受信してから第３の時間後に、ＬＣＨ確立要求信号を基地局２００へ送信し、基地局２００から送信されるＬＣＨ割当信号をＣＣＨで受信する制御部３０と、を備え、制御部３０は、計時部６０により計測されている経過時間を参照し、基地局２００による次のＢＣＣＨの送信タイミングとＬＣＨ割当信号の送信タイミングとが一致しないように、ＬＣＨ確立要求信号の送信タイミングを制御する。【選択図】図２
2011211254.tif 000002
【特許請求の範囲】
【請求項１】
特定の方向へ送信電力を指向可能な基地局と無線通信する携帯端末であって、
第１の時間周期で前記基地局から送信される制御チャネルの信号を受信する通信部と、
前記制御チャネルで前記基地局から第２の時間間隔で送信される報知信号を受信してからの経過時間を計測する計時部と、
前記基地局とリンクチャネルを確立する場合、前記通信部により前記制御チャネルの信号を受信してから第３の時間後に、前記通信部により要求信号を前記基地局へ送信し、当該要求信号に対して前記基地局から送信される前記リンクチャネルを割り当てる割当信号を、前記通信部により前記制御チャネルで受信する制御部と、を備え、
前記制御部は、前記計時部により計測されている前記経過時間を参照し、前記基地局による次の前記報知信号の送信タイミングと前記割当信号の送信タイミングとが一致しないように、前記要求信号の送信タイミングを制御する携帯端末。
【請求項２】
前記制御部は、前記要求信号の送信タイミングが次の前記報知信号の受信タイミングの直前である場合、前記基地局による前記報知信号の送信タイミングと前記割当信号の送信タイミングとが一致しないように、当該要求信号を前記第１の時間だけ遅らせて送信する請求項１に記載の携帯端末。
【請求項３】
前記制御部は、前記要求信号の送信タイミングが次の前記報知信号の受信タイミングの直前である場合、前記次の報知信号を受信してから前記第３の時間後に、前記要求信号を送信する請求項１に記載の携帯端末。
【請求項４】
前記割当信号は、前記報知信号よりも送信タイミングの優先度が低い信号である請求項１から請求項３のいずれか１項に記載の携帯端末。
【請求項５】
特定の方向へ送信電力を指向可能な基地局と携帯端末とが無線通信する無線通信システムであって、
前記基地局は、
第１の時間周期で制御チャネルの信号を送信し、当該制御チャネルにおいて第２の時間間隔で報知信号を送信する基地局通信部と、
前記携帯端末からリンクチャネルを確立させる要求信号を受信した場合、当該要求信号に対して、前記基地局通信部により当該リンクチャネルを割り当てる割当信号を、前記制御チャネルにおいて前記報知信号とは異なるタイミングで前記携帯端末へ送信する基地局制御部と、を備え、
前記携帯端末は、
前記制御チャネルの信号を受信する端末通信部と、
前記報知信号を受信してからの経過時間を計測する計時部と、
前記基地局と前記リンクチャネルを確立する場合、前記端末通信部により前記制御チャネルの信号を受信してから第３の時間後に、前記要求信号を前記基地局へ送信し、前記基地局から送信される前記割当信号を、前記端末通信部により前記制御チャネルで受信する端末制御部と、を備え、
前記端末制御部は、前記計時部により計測されている前記経過時間を参照し、前記基地局による次の前記報知信号の送信タイミングと前記割当信号の送信タイミングとが一致しないように、前記要求信号の送信タイミングを制御する無線通信システム。
【請求項６】
特定の方向へ送信電力を指向可能な基地局であって、第１の時間周期で制御チャネルの信号を送信し、当該制御チャネルにおいて第２の時間間隔で報知信号を送信する基地局通信部を備えた基地局と、前記制御チャネルの信号を受信する端末通信部を備えた携帯端末と、が無線通信する無線通信方法であって、
前記携帯端末が、前記報知信号を受信してからの経過時間を計測する計時ステップと、
前記携帯端末が、前記基地局とリンクチャネルを確立する場合、前記端末通信部により前記制御チャネルの信号を受信してから第３の時間後に、要求信号を前記基地局へ送信する要求ステップと、
前記基地局が、前記要求信号を受信した場合、当該要求信号に対して、前記基地局通信部により前記リンクチャネルを割り当てる割当信号を、前記制御チャネルにおいて前記報知信号とは異なるタイミングで前記携帯端末へ送信する割当ステップと、を含み、
前記要求ステップにおいて、前記携帯端末は、前記計時ステップで計測されている前記経過時間を参照し、前記基地局による次の前記報知信号の送信タイミングと前記割当信号の送信タイミングとが一致しないように、前記要求信号の送信タイミングを制御する無線通信方法。
【発明の詳細な説明】
【技術分野】
【０００１】
本発明は、送信電力を指向可能な基地局と無線通信する携帯端末、無線通信システム及び無線通信方法に関する。
【背景技術】
【０００２】
従来、基地局と携帯端末とを含む無線通信システムにおいては、携帯端末がリンクチャネル（ＬＣＨ）の要求信号を基地局へ送信すると、この要求信号を受信した基地局が、リンクチャネルの割当信号を送信して、基地局と携帯端末との間でリンクチャネルが確立される。
【０００３】
また、基地局は、携帯端末へ信号を送信する際には、アダプティブアレイアンテナを用いて送信電力に指向性を持たせ、通信の成功率を向上させることができる（例えば、特許文献１参照）。
【先行技術文献】
【特許文献】
【０００４】
【特許文献１】特開２００５−３４１１７０号公報
【発明の概要】
【発明が解決しようとする課題】
【０００５】
ところで、上述のリンクチャネルの割当信号は、所定周期（１００ｍｓｅｃ）で送信される制御チャネル（ＣＣＨ）に含まれる信号の１つである。この制御チャネルでは、一定の間隔（１２００ｍｓｅｃ）で基地局からの報知信号（ＢＣＣＨ）が送信されており、この報知信号は、割当信号よりも優先される。すなわち、報知信号と割当信号の送信タイミングが重なると、割当信号は、次の制御チャネルの送信タイミング（１００ｍｓｅｃ後）まで遅延することになる。
【０００６】
すると、要求信号を送信した携帯端末が既に移動している場合があるので、アダプティブアレイアンテナにより割当信号の送信電力を指向させると、受信の成功率が低下するおそれがあった。そこで、アダプティブアレイ送信を止めると、送信電力が弱くなるため、やはり受信の成功率は低下する。
【０００７】
本発明は、リンクチャネルの割当信号を受信する成功率を向上できる携帯端末、無線通信システム及び無線通信方法を提供することを目的とする。
【課題を解決するための手段】
【０００８】
本発明に係る携帯端末は、特定の方向へ送信電力を指向可能な基地局と無線通信する携帯端末であって、第１の時間周期で前記基地局から送信される制御チャネルの信号を受信する通信部と、前記制御チャネルで前記基地局から第２の時間間隔で送信される報知信号を受信してからの経過時間を計測する計時部と、前記基地局とリンクチャネルを確立する場合、前記通信部により前記制御チャネルの信号を受信してから第３の時間後に、前記通信部により要求信号を前記基地局へ送信し、当該要求信号に対して前記基地局から送信される前記リンクチャネルを割り当てる割当信号を、前記通信部により前記制御チャネルで受信する制御部と、を備え、前記制御部は、前記計時部により計測されている前記経過時間を参照し、前記基地局による次の前記報知信号の送信タイミングと前記割当信号の送信タイミングとが一致しないように、前記要求信号の送信タイミングを制御する。
【０００９】
また、前記制御部は、前記要求信号の送信タイミングが次の前記報知信号の受信タイミングの直前である場合、前記基地局による前記報知信号の送信タイミングと前記割当信号の送信タイミングとが一致しないように、当該要求信号を前記第１の時間だけ遅らせて送信することが好ましい。
【００１０】
また、前記制御部は、前記要求信号の送信タイミングが次の前記報知信号の受信タイミングの直前である場合、前記次の報知信号を受信してから前記第３の時間後に、前記要求信号を送信することが好ましい。
【００１１】
また、前記割当信号は、前記報知信号よりも送信タイミングの優先度が低い信号であることが好ましい。
【００１２】
本発明に係る無線通信システムは、特定の方向へ送信電力を指向可能な基地局と携帯端末とが無線通信する無線通信システムであって、前記基地局は、第１の時間周期で制御チャネルの信号を送信し、当該制御チャネルにおいて第２の時間間隔で報知信号を送信する基地局通信部と、前記携帯端末からリンクチャネルを確立させる要求信号を受信した場合、当該要求信号に対して、前記基地局通信部により当該リンクチャネルを割り当てる割当信号を、前記制御チャネルにおいて前記報知信号とは異なるタイミングで前記携帯端末へ送信する基地局制御部と、を備え、前記携帯端末は、前記制御チャネルの信号を受信する端末通信部と、前記報知信号を受信してからの経過時間を計測する計時部と、前記基地局と前記リンクチャネルを確立する場合、前記端末通信部により前記制御チャネルの信号を受信してから第３の時間後に、前記要求信号を前記基地局へ送信し、前記基地局から送信される前記割当信号を、前記端末通信部により前記制御チャネルで受信する端末制御部と、を備え、前記端末制御部は、前記計時部により計測されている前記経過時間を参照し、前記基地局による次の前記報知信号の送信タイミングと前記割当信号の送信タイミングとが一致しないように、前記要求信号の送信タイミングを制御する。
【００１３】
本発明に係る無線通信方法は、特定の方向へ送信電力を指向可能な基地局であって、第１の時間周期で制御チャネルの信号を送信し、当該制御チャネルにおいて第２の時間間隔で報知信号を送信する基地局通信部を備えた基地局と、前記制御チャネルの信号を受信する端末通信部を備えた携帯端末と、が無線通信する無線通信方法であって、前記携帯端末が、前記報知信号を受信してからの経過時間を計測する計時ステップと、前記携帯端末が、前記基地局とリンクチャネルを確立する場合、前記端末通信部により前記制御チャネルの信号を受信してから第３の時間後に、要求信号を前記基地局へ送信する要求ステップと、前記基地局が、前記要求信号を受信した場合、当該要求信号に対して、前記基地局通信部により前記リンクチャネルを割り当てる割当信号を、前記制御チャネルにおいて前記報知信号とは異なるタイミングで前記携帯端末へ送信する割当ステップと、を含み、前記要求ステップにおいて、前記携帯端末は、前記計時ステップで計測されている前記経過時間を参照し、前記基地局による次の前記報知信号の送信タイミングと前記割当信号の送信タイミングとが一致しないように、前記要求信号の送信タイミングを制御する。
【発明の効果】
【００１４】
本発明によれば、携帯端末において、リンクチャネルの割当信号を受信する成功率を向上できる。
【図面の簡単な説明】
【００１５】
【図１】本発明の実施形態に係るＰＨＳ端末の外観斜視図である。
【図２】本発明の実施形態に係る無線通信システムの機能を示すブロック図である。
【図３】本発明の実施形態に係るアンテナにより送信された電波の受信エリアを示す概念図である。
【図４】本発明の実施形態に係る無線通信システムの第１の処理パターンを示すシーケンス図である。
【図５】本発明の実施形態に係る無線通信システムの第２の処理パターンを示すシーケンス図である。
【図６】本発明の実施形態に係る無線通信システムの第３の処理パターンを示すシーケンス図である。
【図７】本発明の実施形態に係るＰＨＳ端末において監視タイマをスタートさせるまでの処理を示すフローチャートである。
【図８】本発明の実施形態に係るＰＨＳ端末において、発呼イベントに応じてＬＣＨを確立させる処理を示すフローチャートである。
【図９】本発明の実施形態に係る基地局からの距離と、ＰＨＳ端末が受信したＬＣＨ割当信号の受信電界強度との関係を示す図である。
【図１０】本発明の実施形態に係る基地局からの距離と、ＰＨＳ端末におけるＬＣＨ割当信号の受信エラー発生率との関係を示す図である。
【発明を実施するための形態】
【００１６】
以下、本発明の実施形態の一例について説明する。なお、本実施形態では、携帯端末の一例として、ＰＨＳ（登録商標；Ｐｅｒｓｏｎａｌ  Ｈａｎｄｙ  ｐｈｏｎｅ  Ｓｙｓｔｅｍ）端末１を説明する。
【００１７】
図１は、本実施形態に係るＰＨＳ端末１の外観斜視図である。
ＰＨＳ端末１は、操作部側筐体２と、表示部側筐体３と、を備えて構成される。操作部側筐体２は、表面部１０に、操作部１１と、ＰＨＳ端末１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００１８】
また、表示部側筐体３は、表面部２０に、各種情報を表示するための表示部２１と、通話の相手側の音声を出力するレシーバ２２と、を備えて構成されている。
【００１９】
また、操作部側筐体２の上端部と表示部側筐体３の下端部とは、ヒンジ機構４を介して連結されている。また、ＰＨＳ端末１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００２０】
図２は、本実施形態に係る無線通信システム１００の機能を示すブロック図である。無線通信システム１００は、特定の方向へ送信電力を指向可能な基地局２００とＰＨＳ端末１とが無線通信するシステムである。
【００２１】
ＰＨＳ端末１は、操作部１１と、表示部２１と、制御部３０と、通信部４０と、アンテナ４１と、記憶部５０と、計時部６０と、を備える。また、基地局２００は、制御部２１０と、通信部２２０と、アンテナ２２１と、記憶部２３０と、を備える。
【００２２】
まず、基地局２００の動作について説明する。
制御部２１０は、基地局２００の全体を制御しており、通信部２２０を介してＰＨＳ端末１との無線通信接続を制御する。このとき、制御部２１０は、記憶部２３０を制御し、各種プログラム及びデータの読み出し、並びにデータの書き込みを行う。例えば、記憶部２３０には、位置登録されたＰＨＳ端末１の識別情報が記憶される。
【００２３】
通信部２２０は、制御部２１０の制御に従って、論理制御チャネル（ＬＣＣＨ）スーパーフレーム構成におけるスロット周期（第１の時間周期：１００ｍｓｅｃ）で、制御チャネル（ＣＣＨ）の信号をアンテナ２２１により送信する。また、通信部２２０は、フレームの先頭スロットのＣＣＨにおいて、すなわち最大バッテリーセービング周期（第２の時間間隔：１２００ｍｓｅｃ）で、位置登録のための情報、チャネル構造に関する情報、システム情報等を含む報知信号（ＢＣＣＨ）を送信する。
【００２４】
制御部２１０は、通信部２２０を介してＰＨＳ端末１からリンクチャネル（ＬＣＨ）を確立させる要求信号を受信した場合、通信部２２０によりＬＣＨを割り当てるＬＣＨ割当信号をＣＣＨにおいてＰＨＳ端末１へ送信する。このとき、制御部２１０は、ＬＣＨ割当信号を、ＣＣＨの中で最優先のＢＣＣＨと同時に送信することはできないため、ＢＣＣＨとは異なるタイミングでＰＨＳ端末１へ送信する。
【００２５】
ここで、アンテナ２２１は、上述のアダプティブアレイ方式のアンテナであり、制御部２１０の制御により送信電力に指向性を持たせることができる。すなわち、制御部２１０は、ＬＣＨ確立要求信号を受信した方向へアンテナ２２１を指向させ、ＰＨＳ端末１へ向けてＬＣＨ割当信号を送信する。
【００２６】
図３は、本実施形態に係るアンテナ２２１により送信された電波の受信エリアを示す概念図である。
送信電力を指向させない通常送信の場合、受信エリアは、全方位へ同等に広がっているが、送信電力を指向させるアダプティブアレイ送信の場合、受信エリアは、ＰＨＳ端末１の方向へより遠くまで拡大し、その他の方向へは縮小する。
【００２７】
制御部２１０は、ＢＣＣＨ等を周辺の不特定多数の端末へ同時に配信する際は通常送信を行うが、ＬＣＨ割当信号は、特定のＰＨＳ端末１へ向けた信号であるため、このＰＨＳ端末１が位置する方向が特定できた場合にアダプティブアレイ送信を行う。
【００２８】
ところが、ＬＣＨ割当信号の送信がＢＣＣＨの送信タイミングと重なったために遅延した場合は、ＰＨＳ端末１が移動していると、アダプティブアレイ送信された信号が受信されない可能性が高い。したがって、制御部２１０は、遅延したＬＣＨ割当信号を通常送信する。この場合、遅延せずにアダプティブアレイ送信した場合に比べて、ＰＨＳ端末１におけるＬＣＨ割当信号の受信成功率が低下する。
【００２９】
次に、ＰＨＳ端末１の動作について説明する。
制御部３０は、ＰＨＳ端末１の全体を制御しており、例えば、表示部２１、通信部４０等に対して所定の制御を行う。また、制御部３０は、操作部１１等から入力を受け付けて、各種処理を実行する。そして、制御部３０は、処理実行の際には、記憶部５０を制御し、各種プログラム及びデータの読み出し、並びにデータの書き込みを行う。
【００３０】
通信部４０は、所定の使用周波数帯（例えば、１．９ＧＨｚ帯）で外部装置（基地局２００）と通信を行う。そして、通信部４０は、アンテナ４１より受信した信号を復調処理し、処理後の信号を制御部３０に供給し、また、制御部３０から供給された信号を変調処理し、アンテナ４１から外部装置に送信する。
本実施形態において、通信部４０は、上述のように第１の時間（１００ｍｓｅｃ）周期で基地局２００から送信されるＣＣＨの信号を受信して制御部３０へ供給する。
【００３１】
また、制御部３０は、基地局２００への位置登録処理や、発呼又は着呼処理等を開始すると、基地局２００との間でＬＣＨを確立させるために、ＬＣＨ確立要求信号を、通信部４０を介して基地局２００へ送信する。そして、制御部３０は、基地局２００からＬＣＨ割当信号をＣＣＨで受信することによりＬＣＨを確立させる。
【００３２】
図４は、本実施形態に係る無線通信システム１００の第１の処理パターンを示すシーケンス図である。
【００３３】
ＰＨＳ端末１（ＰＳ）は、待ち受け処理を開始した場合、周辺の基地局を探索（オープンサーチ）し、待ち受けする基地局を決定すると、決定した基地局に同期する。
その後、ＰＨＳ端末１は、発呼処理を開始した場合、改めて周辺の基地局を探索し、位置登録先の基地局２００（ＣＳ）を決定すると、決定した基地局２００に同期する。
【００３４】
続いて、ＰＨＳ端末１は、ＬＣＨ確立要求信号を基地局２００へ送信する。基地局２００は、このＬＣＨ確立要求信号を受信すると、受信電波に基づいてＰＨＳ端末１の方向へ送信電力を指向させるため、アダプティブアレイ用のウェイト計算を行う。そして、基地局２００は、次のＣＣＨの信号送信タイミングで、ＬＣＨ割当信号をアダプティブアレイ送信する。
【００３５】
図５は、本実施形態に係る無線通信システム１００の第２の処理パターンを示すシーケンス図である。
本処理パターンでは、基地局２００がＬＣＨ確立要求信号を受信して、次にＣＣＨの信号を送信するタイミングがＢＣＣＨの送信タイミングと一致している。
【００３６】
基地局２００がＬＣＨ確立要求信号を受信した後（９７．５ｍｓｅｃ後）のＣＣＨ送信タイミングは、前回ＢＣＣＨ送信を行ったタイミング（Ｓ１）から第２の時間（１２００ｍｓｅｃ）後であり、ＢＣＣＨ送信のタイミングである。したがって、基地局２００は、ＢＣＣＨを優先して送信し（Ｓ２）、さらに次のＣＣＨ送信タイミング、すなわち第１の時間（１００ｍｓｅｃ）後に、ＬＣＨ割当信号を、アダプティブアレイ送信ではなく通常送信する（Ｓ３）。
【００３７】
図２に戻り、記憶部５０は、例えば、ワーキングメモリを含み、制御部３０による演算処理に利用される。また、本実施形態に係る各種プログラム等を記憶する。さらに、記憶部５０は、現在待ち受けを行っている先の基地局を識別するＩＤを記憶する。
【００３８】
計時部６０は、ＣＣＨで基地局２００からＢＣＣＨを受信してからの経過時間を監視タイマにより計測する。監視タイマは、ＬＣＣＨスーパーフレームの周期を監視しており、計時開始後、１周期である第２時間（１２００ｍｓｅｃ）でタイムアウトすると、リスタートして次の１周期を計時する。
【００３９】
ここで、ＰＨＳ端末１の制御部３０は、第２の処理パターン（図５）におけるＬＣＨ割当信号がアダプティブアレイ送信から通常送信に変更されるのを回避するため、次の動作を行う。
【００４０】
制御部３０は、基地局２００とＬＣＨを確立する場合、通信部４０によりＣＣＨの信号を受信してから第３の時間（２．５ｍｓｅｃ）後に、通信部４０によりＬＣＨ確立要求信号を基地局２００へ送信する。
【００４１】
このとき、制御部３０は、計時部６０により計測されている経過時間を参照し、基地局２００による次のＢＣＣＨの送信タイミングとＬＣＨ割当信号の送信タイミングとが一致しないように、ＬＣＨ確立要求信号の送信タイミングを制御する。
【００４２】
具体的には、制御部３０は、ＬＣＨ確立要求信号の送信タイミングが次のＢＣＣＨの受信タイミングの直前（９７．５ｍｓｅｃ前）である場合、基地局２００によるＢＣＣＨの送信タイミングとＬＣＨ割当信号の送信タイミングとが一致しないように、ＬＣＨ確立要求信号を第１の時間（１００ｍｓｅｃ）だけ遅らせて送信する。なお、制御部３０は、ＬＣＨ確立要求信号を、元の送信タイミングから第１の時間（１００ｍｓｅｃ）を計測し終わったときに送信してもよいし、次のＢＣＣＨの受信から第３の時間（２．５ｍｓｅｃ）を計測し終わったときに送信してもよい。
【００４３】
このことにより、基地局２００は、ＬＣＨ割当信号を遅延なく送信することができる。したがって、ＰＨＳ端末１の通信部４０は、アダプティブアレイ送信されたＬＣＨ割当信号を、通常送信に比べて精度良く受信できる。
【００４４】
なお、このＬＣＨ確立要求信号を送信する基地局２００のＩＤが、記憶部５０に記憶されている待ち受け先の基地局のＩＤと異なる場合がある。この場合、計時部６０により計測されているＢＣＣＨ送信のタイミングが一致しないことがあるため、制御部３０は、ＬＣＨ確立要求信号の送信を遅らせる処理を行わない。
【００４５】
図６は、本実施形態に係る無線通信システム１００の第３の処理パターンを示すシーケンス図である。
なお、本処理パターンでは、待ち受け先の基地局と発呼による位置登録先の基地局とが同一（基地局２００）である。
【００４６】
ＰＨＳ端末１は、待ち受け先の基地局２００を決定すると、基地局２００からＢＣＣＨを受信したことに応じて（Ｓ４）、計時部６０を制御して監視タイマをスタートさせる（Ｓ５）。
【００４７】
その後、ＬＣＨ確立要求が発生すると（Ｓ６）、ＰＨＳ端末１は、ＬＣＨ確立要求信号の送信タイミングを判定する。
ここで、ＰＨＳ端末１は、ＬＣＨ確立要求が発生すると、次にＣＣＨを受信してから第３の時間（２．５ｍｓｅｃ）後にＬＣＨ確立要求信号を送信する。したがって、このＬＣＨ確立要求の発生が、前回（Ｓ４）のＢＣＣＨ受信後、「１０００ｍｓｅｃ」以降、「１１００ｍｓｅｃ」に満たない場合、ＬＣＨ確立要求信号の送信タイミングが「１１００ｍｓｅｃ＋２．５ｍｓｅｃ」後となるため、ＬＣＨ割当信号の送信タイミングがＢＣＣＨ送信タイミングと重なってしまう。
【００４８】
そこで、ＰＨＳ端末１は、第１の時間（１００ｍｓｅｃ）待機し、ＢＣＣＨを受信した後（Ｓ８）、ＬＣＨ確立要求信号を送信する（Ｓ９）。基地局２００は、このＬＣＨ確立要求信号を受信すると、アダプティブアレイ用のウェイト計算を行う。そして、基地局２００は、次のＣＣＨの信号送信タイミングで、ＬＣＨ割当信号をアダプティブアレイ送信する（Ｓ１０）。
【００４９】
図７は、本実施形態に係るＰＨＳ端末１において監視タイマをスタートさせるまでの処理を示すフローチャートである。
【００５０】
ステップＳ１１において、制御部３０は、待ち受け処理を開始する。
ステップＳ１２において、制御部３０は、待ち受け先として、周辺の基地局を探索（オープンサーチ）する。
ステップＳ１３において、制御部３０は、ステップＳ１２の結果、最も電界強度の強い基地局を選択する等、所定のルールに基づいて、待ち受け先の基地局（ＣＳ）を決定する。
ステップＳ１４において、制御部３０は、ステップＳ１３で決定された待ち受け先の基地局の識別情報（ＩＤ）を記憶部５０に記憶する。
【００５１】
ステップＳ１５において、制御部３０は、待ち受け先の基地局からＣＣＨを受信する。
ステップＳ１６において、制御部３０は、ステップＳ１５で受信したＣＣＨの信号がＢＣＣＨであるか否かを判定する。制御部３０は、この判定がＹＥＳの場合、処理をステップＳ１７に移し、判定がＮＯの場合、ステップＳ１５に処理を戻す。
ステップＳ１７において、制御部３０は、待ち受け先の基地局からＢＣＣＨを受信したので、計時部６０を制御し、監視タイマをスタートさせる。
【００５２】
図８は、本実施形態に係るＰＨＳ端末１において、発呼イベントに応じてＬＣＨを確立させる処理を示すフローチャートである。
【００５３】
ステップＳ２１において、制御部３０は、発呼イベントに応じて、発呼処理を開始する。
ステップＳ２２において、制御部３０は、発呼先として、周辺の基地局を探索（オープンサーチ）する。
ステップＳ２３において、制御部３０は、ステップＳ２２の結果、最も電界強度の強い基地局を選択する等、所定のルールに基づいて、発呼先の基地局（ＣＳ）を決定する。
ステップＳ２４において、制御部３０は、ＬＣＨの確立処理を開始し、発呼先基地局に対するＬＣＨの確立要求が発生する。
【００５４】
ステップＳ２５において、制御部３０は、発呼先基地局のＩＤが記憶部５０に記憶されている待ち受け先基地局のＩＤと一致しているか否かを判定する。制御部３０は、この判定がＹＥＳの場合、処理をステップＳ２６に移し、判定がＮＯの場合、処理をステップＳ２８に移す。
【００５５】
ステップＳ２６において、制御部３０は、図７の処理でスタートさせた監視タイマの値が「１０００ｍｓｅｃ」以上、「１１００ｍｓｅｃ」未満であるか否かを判定する。制御部３０は、この判定がＹＥＳの場合、処理をステップＳ２７に移し、判定がＮＯの場合、処理をステップＳ２８に移す。
【００５６】
ステップＳ２７において、制御部３０は、発呼先基地局によるＬＣＨ割当信号の送信が遅延しないように、第１の時間（１００ｍｓｅｃ）待機する。
【００５７】
ステップＳ２８において、制御部３０は、発呼先基地局から次のＣＣＨを受信した後、第３の時間（２．５ｍｓｅｃ）後に、ＬＣＨ確立要求信号を発呼先基地局へ送信する。
【００５８】
以上のように、本実施形態によれば、ＰＨＳ端末１は、ＬＣＨ確立要求信号の送信タイミングを調整できるので、基地局２００によるＬＣＨ割当信号の送信が遅延するのを抑制し、アダプティブアレイ送信が通常送信に変更されるのを抑制できる。したがって、ＰＨＳ端末１において、ＬＣＨ割当信号を受信する成功率を向上できる。
【００５９】
図９は、基地局２００からの距離と、ＰＨＳ端末１が受信したＬＣＨ割当信号の受信電界強度（Ｒｓｓｉ）との関係を示す図である。
【００６０】
アダプティブアレイ送信された場合（ＡＡＡ）、平均受信Ｒｓｓｉは、「４３．４ｄＢｕＶ」で、通常送信された場合の平均受信Ｒｓｓｉ「３８．０ｄＢｕＶ」に比べて、「５ｄＢｕＶ」以上向上している。
また、ＬＣＨ割当信号の受信Ｒｓｓｉが向上すれば、ＬＣＨ確立の成功率が向上し、通信の成功率も向上する。
【００６１】
図１０は、基地局２００からの距離と、ＰＨＳ端末１におけるＬＣＨ割当信号の受信エラー発生率との関係を示す図である。
【００６２】
通常送信された場合は、基地局２００からの距離が遠くなると、受信エラー率が高くなる傾向がある。一方、アダプティブアレイ送信された場合（ＡＡＡ）、通常送信された場合に比べて、基地局２００からの距離が遠くなっても受信エラー率は低い値を維持している。つまり、アダプティブアレイ送信により通信可能エリアが拡大するので、ＬＣＨ確立の成功率が向上し、通信の成功率も向上する。
【００６３】
以上、好適な実施形態について説明したが、本発明は上述した実施形態に限定されることなく種々の形態で実施することができる。また、上述の実施形態に記載された効果は、本発明から生じる最も好適な効果を列挙したに過ぎず、本発明による効果は、上述のものに限定されない。
【００６４】
本発明に係る携帯端末は、ＰＨＳ端末１には限られない。すなわち、ＰＨＳの通信プロトコルに限らず、無線通信の相手からアダプティブアレイ送信される信号が、一定周期で送信される他の信号よりも優先度が低い場合に、この優先度が低い信号を要求する場面において本発明を適用できる。
【符号の説明】
【００６５】
１  ＰＨＳ端末（携帯端末）
１１  操作部
２１  表示部
３０  制御部
４０  通信部
４１  アンテナ
５０  記憶部
６０  計時部
１００  無線通信システム
２００  基地局
２１０  制御部
２２０  通信部
２２１  アンテナ
２３０  記憶部
【図１】
2011211254.tif 000003
【図２】
2011211254.tif 000004
【図３】
2011211254.tif 000005
【図４】
2011211254.tif 000006
【図５】
2011211254.tif 000007
【図６】
2011211254.tif 000008
【図７】
2011211254.tif 000009
【図８】
2011211254.tif 000010
【図９】
2011211254.tif 000011
【図１０】
2011211254.tif 000012